(57)【特許請求の範囲】
【請求項１】
入力光信号をチャンネル別に逆多重化する逆多重化器と、前記逆多重化器から出力された前記光信号を多重化する多重化器とを含む光伝送システムにおける伝送速度に無関係な光交差接続装置において、
前記逆多重化器から出力された光信号のうちの１つの光信号を受信し、前記光信号を電気信号に変換し、前記電気信号の伝送速度によって、前記光信号からのクロック及びデータを再生するＮ個の伝送速度に無関係なクロック及びデータ再生受信部と、
前記Ｎ個の伝送速度に無関係なクロック及びデータ再生受信部からの各出力信号を受信する交差接続スイッチと、前記Ｎ個の伝送速度に無関係なクロック及びデータ再生受信部からの出力信号を受信し、前記Ｎ個の伝送速度に無関係なクロック及びデータ再生受信部にそれぞれ該当する伝送速度判別信号を出力するＮ個の伝送速度判別部と、クロック及びデータ再生受信部の温度を感知して温度感知信号を出力する温度感知部とを含むスイッチボードと、
前記温度感知信号に基づいて、前記温度感知部からの前記温度感知信号と共に、前記Ｎ個の伝送速度判別部から伝送速度判別信号を受信し、前記受信された伝送速度判別信号のそれぞれをメモリから読み出された温度による伝送速度値と比較した後、伝送速度の変化があるか否かを判別し、前記判別結果によって、該当伝送速度に無関係なクロック及びデータ再生受信部の伝送速度を制御する中央処理部と
からなることを特徴とする伝送速度に無関係な光交差接続装置。
【請求項２】
入力光信号をチャンネル別に逆多重化する逆多重化器と、前記逆多重化器から出力された前記光信号を多重化する多重化器とを含む光伝送システムにおける伝送速度に無関係な光交差接続装置において、
前記逆多重化器から出力された光信号のうちの１つの光信号をそれぞれ受信し、前記光信号を電気信号に変換し、前記電気信号の伝送速度によって、前記光信号からのクロック及びデータを再生するＮ個の伝送速度に無関係なクロック及びデータ再生受信部と、
前記Ｎ個の伝送速度に無関係なクロック及びデータ再生受信部のうちの１つから出力された前記電気信号をそれぞれ受信し、前記電気信号を光信号に変換し、そして、前記電気信号の伝送速度によって、前記変換された光信号からクロック及びデータを再生するＮ個の伝送速度に無関係なクロック及びデータ再生送信部と、
前記Ｎ個の伝送速度に無関係なクロック及びデータ再生受信部からの各電気信号を受信し、前記電気信号をそれぞれパスルーティングした後、前記伝送速度に無関係なクロック及びデータ再生送信部のうちの該当送信部に前記電気信号をそれぞれ伝送する交差接続スイッチと、前記Ｎ個の伝送速度に無関係なクロック及びデータ再生受信部からの各出力信号を受信し、前記Ｎ個の伝送速度に無関係なクロック及びデータ再生受信部からの各出力信号及びＮ個の伝送速度に無関係なクロック及びデータ再生送信部からの各出力信号を受信した後、前記Ｎ個の伝送速度に無関係なクロック及びデータ再生受信部及び前記Ｎ個の伝送速度に無関係なクロック及びデータ再生送信部にそれぞれ該当する伝送速度判別信号を出力する２Ｎ個の伝送速度判別部と、クロック及びデータ再生受信部・送信部の温度を感知して温度感知信号を出力する温度感知部とを含むスイッチボードと、
前記温度感知信号に基づいて、前記温度感知部からの前記温度感知信号と共に、前記Ｎ個の伝送速度判別部から伝送速度判別信号を受信し、前記受信された伝送速度判別信号のそれぞれをメモリから読み出された温度による伝送速度値と比較した後、伝送速度の変化があるか否かを判別し、前記判別結果によって、該当伝送速度に無関係なクロック及びデータ再生受信部の伝送速度を制御する中央処理部と
からなることを特徴とする伝送速度に無関係な光交差接続装置。
【発明の詳細な説明】
【０００１】
【発明の属する技術分野】
本発明は、電気スイッチを利用した光伝送システムにおける光交差接続装置に関し、特に、電気スイッチを利用した伝送速度に無関係な光交差接続装置(bit-rate-independent optical cross-connect device)に関する。
【０００２】
【従来の技術】
一般的に、光伝送システムは、多様なプロトコル(protocol)及びそれに従う多様な伝送速度を使用する。例えば、ＦＤＤＩ(Fiber Distributed Data Interface)、ＥＳＣＯＮ(Enterprise System CONnectivity)、光ファイバチャンネル(Optical Fiber Channel)、ギガビットイーサネット（登録商標）(Gigabit Ethernet（登録商標))、ＡＴＭ(Asynchronous Transfer Mode)などがあり、これらは、それぞれ１２５Ｍｂ/ｓ、１５５Ｍｂ/ｓ、２００Ｍｂ/ｓ、６２２Ｍｂ/ｓ、１，０６２Ｍｂ/s、１.２５Ｇｂ/ｓ、２.５Ｇｂ/ｓなどの伝送速度を有している。
【０００３】
光伝送システムの場合、前記光伝送システムを満足するプロトコル及び伝送速度は、多様なプロトコル及びこれらによる多様な伝送速度から適切に選択される。そのような光伝送システムで採用され、中継器や端末機などに備えられる光受信部は、前記光伝送システムのために設定されたプロトコル及び伝送速度に従ってのみ動作するように設計される。
【０００４】
図１は、従来技術の実施形態による電気スイッチを使用した光交差接続装置の構成を示すブロック図である。
【０００５】
図１に示すように、従来の光交差接続装置は、入力光信号をチャンネル別に逆多重化する逆多重化器(ＤＭＵＸ)１０６と、前記逆多重化器１０６から出力されたチャンネル別光信号１０１を電気信号へ変換する多数の固定伝送速度光電変換器１０２と、前記固定伝送速度光電変換器１０２から出力された電気信号を受信し、前記電気信号をそれぞれパスルーティング(path routing)するＮｘＮ個の光交差接続スイッチ１０３と、から構成される。また、前記光交差接続装置は、前記光交差接続スイッチ１０３の各出力ポートから出力された電気信号を再び光信号へ変換する多数の固定伝送速度電光変換器１０４と、前記固定伝送速度電光変換器１０４から出力された光信号１０５を一本の光ファイバを通じて多重化する多重化器１０７と、からなる。前記光交差接続スイッチ１０３は、制御器１０８に連結されて、前記制御器１０８の制御の下でデータの入出力が制御される。
【０００６】
以下、前述した構成を有する光交差接続装置の動作について説明する。
前記逆多重化器１０６に入力される入力光信号は、前記光信号を異なる波長の信号に逆多重化する。前記逆多重化器１０６から出力された光信号は、特定の固定伝送速度のみを支援する固定伝送速度光電変換器１０２の各入力端に入力される。前記固定伝送速度光電変換器１０２には、常に固定された伝送速度で光信号が入力される。このような固定伝送速度光電変換器１０２の各出力端からの電気信号は、前記ＮｘＮ個の交差接続スイッチ１０３(cross-connect switch)の各入力端に印加される。その後、このような電気信号は、前記ＮｘＮ個の交差接続スイッチ１０３のスイッチングされた各出力ポートから特定の固定伝送速度のみを支援する固定伝送速度電光変換器１０４の各入力端に伝送される。前記固定伝送速度電光変換器１０４には、常に固定伝送速度で電気信号が入力される。前記電気信号は、前記固定伝送速度電光変換器１０４によって再び光信号へ変換され、前記多重化器１０７によって多重化された後、出力光信号として出力される。前記多重化器１０７から出力された前記光信号は、一本の光ファイバを通じて伝送される。
【０００７】
【発明が解決しようとする課題】
しかし、従来の光伝送システムで採用された光交差接続装置は、固定伝送速度光電変換器(光受信部)及び固定伝送速度電光変換器(光送信部)を内蔵しているので、特定の伝送フォーマットでしかデータ伝送のための所定の接続ができないという問題点があった。すなわち、従来の光交差接続装置は、伝送フォーマット及びそれに従う伝送速度の変化に適応する能力、すなわち、トラスペアレンシー(transparency)がまったくない。特に、従来の光交差接続装置は、固定されたデータ網で制限された交差接続のみを提供するので、多重伝送(multi-transfer)及び網運営(network management)に問題点がある。従って、電気スイッチを使用した従来の光交差接続装置は、スイッチが正常に動作するか否かを確認することができない。
【０００８】
また、他の従来の光交差接続装置については、本出願人によって先出願された韓国特許出願第２０００-２８０７６号の明細書に詳細に開示されている。前記開示された光交差接続装置は、各伝送速度に無関係なクロック及びデータ再生(Bit Rate Independent Clock and Data Recovery；以下、ＢＩＣＤＲと略称する。)のための伝送速度判別部及び温度感知部を含む構成を有する。前記伝送速度判別部及び温度感知部は、中央制御部に連結される。このような構造を有する光交差接続装置が正常動作を遂行する場合、ＢＩＣＤＲ送信部及び受信部の温度が非常に高くなる。特に、前記ＢＩＣＤＲ送信部及び受信部のそれぞれの温度は異なっている。従って、前記ＢＩＣＤＲ送信部及び受信部の各伝送速度判別部を独立的に微細調節する必要がある。さらに、前記伝送速度判別部は、高い温度では誤動作を行う可能性が高くなる。
【０００９】
従って、本発明の目的は、送信部及び受信部内の伝送速度判別部及び温度感知部を比較的に大きいサイズのスイッチボード上に一体化させる、伝送速度に無関係な光交差接続装置を提供することにある。
【００１０】
本発明の他の目的は、電気スイッチを使用した光交差接続装置に自己診断伝送速度変換機能を与えてデータ網の伝送速度の変化に対する所望のトランスペアレンシーを確保できる伝送速度に無関係な光交差接続装置を提供することにある。
【００１１】
【課題を解決するための手段】
このような目的を達成するために、本発明は、入力光信号をチャンネル別に逆多重化する逆多重化器と、前記逆多重化器から出力された前記光信号を多重化する多重化器とを含む光伝送システムにおける伝送速度に無関係な光交差接続装置において、前記逆多重化器から出力された光信号のうちの１つの光信号を受信し、前記光信号を電気信号に変換し、前記電気信号の伝送速度によって、前記光信号からのクロック及びデータを再生するＮ個の伝送速度に無関係なクロック及びデータ再生受信部と、前記Ｎ個の伝送速度に無関係なクロック及びデータ再生受信部からの各出力信号を受信する交差接続スイッチと、前記Ｎ個の伝送速度に無関係なクロック及びデータ再生受信部からの出力信号を受信し、前記Ｎ個の伝送速度に無関係なクロック及びデータ再生受信部にそれぞれ該当する伝送速度判別信号を出力するＮ個の伝送速度判別部と、クロック及びデータ再生受信部の温度を感知して温度感知信号を出力する温度感知部とを含むスイッチボードと、前記温度感知信号に基づいて、前記温度感知部からの前記温度感知信号と共に、前記Ｎ個の伝送速度判別部から伝送速度判別信号を受信し、前記受信された伝送速度判別信号のそれぞれをメモリから読み出された温度による伝送速度値と比較した後、伝送速度の変化があるか否かを判別し、前記判別結果によって、該当伝送速度に無関係なクロック及びデータ再生受信部の伝送速度を制御する中央処理部とからなることを特徴とする。
【００１２】
また、本発明は、入力光信号をチャンネル別に逆多重化する逆多重化器と、前記逆多重化器から出力された前記光信号を多重化する多重化器とを含む光伝送システムにおける伝送速度に無関係な光交差接続装置において、前記逆多重化器から出力された光信号のうちの１つの光信号をそれぞれ受信し、前記光信号を電気信号に変換し、前記電気信号の伝送速度によって、前記光信号からのクロック及びデータを再生するＮ個の伝送速度に無関係なクロック及びデータ再生受信部と、前記Ｎ個の伝送速度に無関係なクロック及びデータ再生受信部のうちの１つから出力された前記電気信号をそれぞれ受信し、前記電気信号を光信号に変換し、そして、前記電気信号の伝送速度によって、前記変換された光信号からクロック及びデータを再生するＮ個の伝送速度に無関係なクロック及びデータ再生送信部と、前記Ｎ個の伝送速度に無関係なクロック及びデータ再生受信部からの各電気信号を受信し、前記電気信号をそれぞれパスルーティングした後、前記伝送速度に無関係なクロック及びデータ再生送信部のうちの該当送信部に前記電気信号をそれぞれ伝送する交差接続スイッチと、前記Ｎ個の伝送速度に無関係なクロック及びデータ再生受信部からの各出力信号を受信し、前記Ｎ個の伝送速度に無関係なクロック及びデータ再生受信部からの各出力信号及びＮ個の伝送速度に無関係なクロック及びデータ再生送信部からの各出力信号を受信した後、前記Ｎ個の伝送速度に無関係なクロック及びデータ再生受信部及び前記Ｎ個の伝送速度に無関係なクロック及びデータ再生送信部にそれぞれ該当する伝送速度判別信号を出力する２Ｎ個の伝送速度判別部と、クロック及びデータ再生受信部・送信部の温度を感知して温度感知信号を出力する温度感知部とを含むスイッチボードと、前記温度感知信号に基づいて、前記温度感知部からの前記温度感知信号と共に、前記Ｎ個の伝送速度判別部から伝送速度判別信号を受信し、前記受信された伝送速度判別信号のそれぞれをメモリから読み出された温度による伝送速度値と比較した後、伝送速度の変化があるか否かを判別し、前記判別結果によって、該当伝送速度に無関係なクロック及びデータ再生受信部の伝送速度を制御する中央処理部とからなることを特徴とする。
【００１３】
【発明の実施の形態】
以下、本発明による好適な実施形態を添付図面を参照しつつ詳しく説明する。下記の説明において、公知の機能及び構成に対する詳細な説明は省略する。
【００１４】
図２は、本発明による光伝送システムにおけるＮｘＮ光交差接続装置の構成を示すブロック図である。図２に示すように、前記光交差接続装置は、入力光信号をチャンネル別に逆多重化する逆多重化器(ＤＭＵＸ)２１０と、前記逆多重化器２１０から出力されたチャンネル別光信号を電気信号へ変換する多数の伝送速度に無関係なクロック及びデータ再生受信部（以下、ＢＩＣＤＲという）２０２と、前記ＢＩＣＤＲ再生受信部２０２から出力された電気信号を受信し、前記電気信号をそれぞれパスルーティングするＮｘＮ個の光交差接続スイッチ２０５及び伝送速度判別部２０３・２０４及びクロック・データ再生受信部・送信部の温度を感知する温度感知部２０７からなるスイッチボード３００と、前記光交差接続スイッチ２０５の各出力ポートから出力された電気信号を再び光信号へ変換するＮ個のＢＩＣＤＲ送信部２０６と、前記ＢＩＣＤＲ送信部２０６から出力された光信号を多重化する多重化器２１１と、前記電気信号のフローを制御する中央処理部２０８とからなる。
【００１５】
前記ＢＩＣＤＲ受信部２０２は、前記逆多重化器２１０からの光信号を受信し、前記受信された光信号を電気信号に変換する。このとき、前記ＢＩＣＤＲ受信部２０２は、電気信号の伝送速度に従う基準クロックによって“ＰＬＬ(Phase Locked Loop)ロック離脱信号(loss of lock)”を発生させる。各ＢＩＣＤＲ送信部２０６は、中央処理部２０８からの電気信号を受信し、前記受信された電気信号を光信号に変換する。その後、前記変換された光信号を多重化器２１１に出力する。また、前記ＢＩＣＤＲ送信部２０６は、電気信号の伝送速度に従う基準クロックによって“ＰＬＬロック離脱信号”を発生させてクロック及びデータを再生する。前記中央処理部２０８は、各チャンネルに対する伝送速度判別信号をメモリに貯蔵されている温度による伝送速度に関する情報と比較することにより、伝送速度の変化を判別する。
【００１６】
前記判別結果によって、前記中央処理部２０８は、該当するＢＩＣＤＲ受信部２０２及びＢＩＣＤＲ送信部２０６の各伝送速度を変更する。
【００１７】
前記Ｎ個のＢＩＣＤＲ受信部２０２のそれぞれに設けられたリミッティング増幅器から２つの出力信号が発生される。各ＢＩＣＤＲ受信部２０２からの出力信号のうちの１つは、スイッチボード３００上のＮ個の伝送速度判別部２０３のうちの１つに入力される。反面、他の１つの信号は、前記ＮｘＮ個の光交差接続スイッチ２０５に入力される。そして、前記Ｎ個の伝送速度判別部２０３から出力された各伝送速度判別信号は中央処理部２０８へ入力される。一方、前記光交差接続スイッチ２０５の各出力ポートから出力されたＮ個の(−)データ及びＮ個の(＋)データは、それぞれＮ個の伝送速度判別部２０４及びＮ個のＢＩＣＤＲ送信部２０６に伝送される。前記スイッチボード３００から出力された２Ｎ個の伝送速度判別信号及び１つの温度情報は中央処理部２０８に伝送される。各伝送速度判別信号は、前記温度情報によって、前記中央処理部２０８のメモリから読み出された温度による伝送速度情報と比較される。各伝送速度判別信号の比較結果によって、前記中央処理部２０８は、伝送速度の変化があるか否かを判断する。そして、該当するＢＩＣＤＲ受信部または送信部の伝送速度を制御する制御信号を前記該当するＢＩＣＤＲ受信部または送信部へ伝送する。従って、前記ＢＩＣＤＲ受信部２０２及びＢＩＣＤＲ送信部２０６のそれぞれは、自動的に伝送速度を変化させることができる。結果的に、所定の伝送速度の変化を自動的に誘導する自己治癒機能(self-healing function)を有するスイッチボード３００は、２Ｎ個の伝送速度判別部２０３及び２０４、温度感知部２０７、及び交差接続スイッチ２０５を一体形に備えることにより、中央処理部２０８とのインタフェース及び制御処理過程を容易に遂行することができる。
【００１８】
本発明の実施形態による伝送速度に無関係な光交差接続装置は、光伝送システムの受信部及び送信部にすべてに適用される場合について説明されてきたが、これに限定される必要はなく、本発明による伝送速度に無関係な光交差接続装置は、受信部または送信部の一方にのみ適用されることができることに留意されたい。
【００１９】
前述の如く、本発明の詳細な説明では具体的な実施形態を参照して詳細に説明してきたが、本発明の思想を外れない範囲内では、様々な変形及び変更が可能であるということは当該技術分野における通常の知識を有する者であれば、自明であろう。そこで、本発明の範囲は前記実施形態に限定されるべきではなく、特許請求の範囲のみならず、特許請求の範囲と均等なものによって定めなければならない。
【００２０】
【発明の効果】
以上から述べてきたように、本発明によると、２Ｎ個の伝送速度判別部及び１個の温度感知部は、比較的大きいサイズを有するスイッチボード上に一体化される。従って、中央処理部とのインタフェース及び制御処理過程を容易に遂行することができる。また、送信部及び受信部の温度変化に敏感な従来の短所を解決することができる。さらに、電気スイッチを使用した伝送速度に無関係な光交差接続装置に自己診断伝送速度の変換機能を与えてデータ網の伝送速度の変化に対する所望のトランスペアレンシーを確保することができる。
【図面の簡単な説明】
【図１】  従来の光交差接続装置が適用された光伝送システムを示すブロック図である。
【図２】  本発明の好適な実施形態による交差接続装置が適用された光伝送システムを示すブロック図である。
【符号の説明】
２０２  ＢＩＣＤＲ受信部
２０３，２０４  伝送速度判別部
２０５  ＮｘＮ個の交差接続スイッチ
２０６  ＢＩＣＤＲ送信部
２０７  温度感知部
２０８  中央処理部
２１０  逆多重化器
２１１  多重化器
【図１】
0003730891.tif 000002
【図２】
0003730891.tif 000003